(57)【要約】【課題】酸素富化装置の有無にかかわらず、また、室内機と室外機の台数の組み合わせにかかわらず、真空ポンプを準備等することなく空調機の冷媒系の真空引きを可能とする。【解決手段】ガス冷媒を圧縮する圧縮機７と、四方弁１１と、室外熱交換器１３と、膨張弁１５とを有する室外機３と、室内熱交換器２７を有する室内機５とを冷媒配管によって接続して冷凍サイクルを構成してなる空気調和機において、室外機３と室内機５とを連結するガス冷媒配管６に阻止弁２１と液冷媒配管４に阻止弁１９とをそれぞれ室外機３側に設け、圧縮機７の吐出側の冷媒配管９に阻止弁３１を設けると共に、阻止弁３１の圧縮機７側の冷媒配管に大気に開口する阻止弁３３を設けて構成されることにより、真空ポンプを準備等することなく空調機の冷媒系の真空引きができる。【選択図】図１
2008170024.tif 000002
【特許請求の範囲】
【請求項１】
ガス冷媒を圧縮する圧縮機と、四方弁と、室外熱交換器と、膨張弁とを有する室外機と、室内熱交換器を有する室内機とを冷媒配管によって接続して冷凍サイクルを構成している空気調和機において、
前記室外機と前記室内機とを連結するガス冷媒配管に第１の開閉弁と液冷媒配管に第２の開閉弁とをそれぞれ室外機側に設け、前記圧縮機の吐出側の冷媒配管に第３の開閉弁を設けると共に、該第３の開閉弁の前記圧縮機側の冷媒配管に大気に開口する第４の開閉弁を設けたことを特徴とする空気調和機。
【請求項２】
請求項１の空気調和機の冷媒配管を含む冷媒系を真空引きする方法において、
前記第１及び第４の開閉弁を開き、前記第２及び第３の開閉弁を閉じた状態で、前記圧縮機を運転して前記冷媒系を真空引きする工程と、その後、前記第４の開閉弁を閉じて、前記第２及び第３の開閉弁を開く工程を有することを特徴とする空気調和機の真空引き方法。
【請求項３】
請求項２において、前記真空引きする工程は、前記圧縮機の吸引側のガス冷媒配管の圧力が設定値未満になった場合に終了することを特徴とする空気調和機の真空引き方法。
【請求項４】
請求項２において、前記真空引きする工程は、前記真空引きする工程を設定時間以上継続した場合に終了することを特徴とする空気調和機の真空引き方法。
【発明の詳細な説明】
【技術分野】
【０００１】
本発明は、空気調和機及び空気調和機の真空引き方法に関する。
【背景技術】
【０００２】
空気調和機を設置する場合、室外機及び室内機を冷媒配管にて接続した後、真空ポンプによって冷媒配管等の冷媒系を真空引きし、配管内の空気及び水分を除去した後に、冷媒を封入して、試運転を実施していた。このため、真空ポンプを準備、運搬する費用、時間がかかっていた。
【０００３】
そこで、真空引き用の真空ポンプを不要にするため、特許文献１には、室内機に設けられる酸素富化装置のポンプを真空引き用ポンプとして用いることが提案されている。すなわち、酸素富化装置は、酸素を選択的に透過させる機能膜を介して室内空気をポンプにより吸引して、酸素が富化された空気を室内に吹出すように構成される。そのポンプの吸引配管を機能膜と冷媒配管に切換え接続する切換弁を設け、真空引きするときは切換弁を冷媒配管側に切り換えてポンプを運転することにより、冷媒配管等の冷媒系を１００Ｐａ程度に真空引きするようにしている。
【０００４】
【特許文献１】特開２００６−１６２１２３号公報
【発明の開示】
【発明が解決しようとする課題】
【０００５】
しかしながら、特許文献１に記載された従来技術は、室内機に酸素富化装置が設けられていない空調機には適用することができない。
【０００６】
また、室内機に酸素富化装置が設けられている場合であっても、室内機と室外機を１対１で組み合わせる空調機の場合はよいが、複数の室内機に対して１台の室外機を組み合わせる場合については、考慮されていない。
【０００７】
本発明が解決しようとする課題は、酸素富化装置の有無にかかわらず、また、室内機と室外機の台数の組み合わせにかかわらず、真空ポンプを準備等することなく空調機の冷媒系の真空引きを行えるようにすることにある。
【課題を解決するための手段】
【０００８】
上記の課題を解決するため、本発明の空気調和機は、ガス冷媒を圧縮する複数の圧縮機と、四方弁と、室外熱交換器と、膨張弁とを有する室外機と、室内熱交換器を有する複数の室内機とを冷媒配管によって接続して冷凍サイクルを構成してなる空気調和機において、前記室外機と前記室内機とを連結するガス冷媒配管に第１の開閉弁と液冷媒配管に第２の開閉弁とをそれぞれ室外機側に設け、前記圧縮機の吐出側の冷媒配管に第３の開閉弁を設けると共に、該第３の開閉弁の前記圧縮機側の冷媒配管に大気に開口する第４の開閉弁を設けてなることを特徴とする。
【０００９】
このように構成されることから、本発明によれば、四方弁を冷房運転時の状態にし、第１及び第４の開閉弁を開き、第２及び第３の開閉弁を閉じた状態で、圧縮機を運転して冷媒系を真空引きする。真空引きした後は、第４の開閉弁を閉じて、第２及び第３の開閉弁を開いて通常の運転を可能にする。真空引きは、圧縮機の吸引側のガス冷媒配管の圧力が設定値未満になった後に終了する。また、真空引きは、冷媒配管内の水分を十分に蒸発な時間継続することが好ましい。
【発明の効果】
【００１０】
本発明によれば、酸素富化装置の有無にかかわらず、また、室内機と室外機の台数の組み合わせにかかわらず、真空ポンプを準備等することなく空調機の冷媒系の真空引きができる。
【発明を実施するための最良の形態】
【００１１】
以下、本発明の実施の形態について説明する。図１に本発明の一実施形態の空気調和機の系統構成図を示す。
【００１２】
図１に示すように、空気調和機は、室外機３と、複数の室内機５とを備え、両者は液冷媒配管４とガス冷媒配管６により接続して構成される。室外機３は、２台の圧縮機７を備え、圧縮機７の吐出は冷媒配管９を介して四方弁１１のポートａに接続されている。四方弁１１のポートｂは冷媒配管を介して室外熱交換器１３の冷媒流路の一端に接続されている。室外熱交換器１３の冷媒流路の他端は膨張弁１５の一端に接続されている。膨張弁１５の他端は冷媒が貯溜されるレシーバ１７を介して、室外機３の液冷媒配管４の接続口に設けられた第２の開閉弁である阻止弁１９に接続されている。室外機３のガス冷媒配管６の接続口に設けられた第１の開閉弁である阻止弁２１は、冷媒配管２３を介して四方弁１１のポートｃに接続されている。四方弁１１のポートｄは、アキュムレータ２５を介して２台の圧縮機７の吸入口の接続されている。また、室外熱交換器１３には、ファン２６が設けられている。なお、図１において、四方弁１１の実線で示したポートａ−ｂ、ｃ−ｄを連通する流路は冷房モードであり、破線で示したポートａ−ｃ、ｂ−ｄを連通する流路は暖房モードである。
【００１３】
一方、複数の室内機５はそれぞれ同一に構成されており、室内熱交換器２７の冷媒流路の一端が液冷媒配管４に接続され、室内熱交換器２７の冷媒流路の他端が膨張弁２９を介してガス冷媒配管６に接続されている。また、室内熱交換器２７にはファン２８が設けられている。なお、室内機５の台数は、本実施形態のように２台に限らず、１台又は３台以上の構成としてもよい。
【００１４】
本実施形態の特徴部は、圧縮機７の吐出側の冷媒配管９に第３の開閉弁である阻止弁３１を設け、この阻止弁３１と圧縮機７の吐出との間に、第４の開閉弁である大気に開口された阻止弁３３を設けたことにある。また、圧縮機７の吸引側に設けられたアキュムレータ２５に接続された冷媒配管には、圧力センサ３５を設けたことにある。
【００１５】
このように構成される空気調和機の据付及び真空引きについて、図２に示した作業手順のフローチャートに沿って説明する。まず、室外機３の各阻止弁１９、２１、３１、３３は閉じられた状態で出荷される。また、阻止弁２１からアキュムレータ２５、圧縮機７、阻止弁３１までの間には、防錆のため窒素が封入されている。さらに、室外熱交換器１３、レシーバ１７及びそれらの間の冷媒配管には、冷媒が充填されて出荷される。なお、レシーバ１７の容量は室内機５の台数に対応した容量となっている。
【００１６】
図２に示したように、室外機３と室内機５を据付けた後（Ｓ１）、室外機３と室内機５を液冷媒配管４とガス冷媒配管６によって接続する（Ｓ２）。真空引きを開始するときは、四方弁１１を冷房モードの位置に切り換え、阻止弁１９、３１を閉じたまま阻止弁２１を開いて（Ｓ３）、圧縮機７の運転を開始する（Ｓ４）。次いで、阻止弁３３を開くことにより（Ｓ５）、液冷媒配管４、室内機５、及びガス冷媒配管６などの冷媒系に存在する空気が、圧縮機７により吸引されて阻止弁３３から大気中に排気される。この状態で継続運転することにより、冷媒系の真空度が高くなる。次いで、冷媒系の内圧を圧力センサ３５により検出し、圧力センサ３５のゲージ圧がマイナス（負圧）低下したのを確認し（Ｓ６）、設定時間（例えば、３時間）以上経過した後に（Ｓ７）、阻止弁３３を閉じる（Ｓ８）。ここで、圧力センサ３５のゲージ圧がマイナスになってから設定時間以上待つのは、十分な真空度を得るためと、冷媒系の水分を十分に蒸発させて排出するためである。次いで、圧縮機７の運転を停止し（Ｓ９）、阻止弁１９、３１を開くことにより、室内機５、液冷媒配管４及びガス冷媒配管６を含む冷媒系に冷媒が充填される。このようにして、通常の運転を行える状態にすることにより真空引きを終了する。
【００１７】
以上説明したように、本実施形態のように空気調和機を構成することにより、酸素富化装置の有無にかかわらず、かつ、室内機と室外機の組み合わせの如何にかかわらず、室外機３に設けられた圧縮機７を用いて真空引きをすることにより、冷媒系を真空状態にすることができる。したがって、真空ポンプなどの準備や配管する準備作業が不用になり、真空引き作業を省力化することができる。
【００１８】
なお、ガス冷媒配管６に、例えばシリカゲルのような吸湿材を入れることができる。
【００１９】
上記の真空引き作業は手動で行う場合を例に説明したが、図２の作業手順を電子回路などを用いて自動で行わせるようにすることもできる。例えば、ステップＳ６において、圧カセンサ３５のゲージ圧が０．１ＭＰａ未満に低下したとき、タイマー等により設定時間を計時して、計時満了時にステップＳ８に進むようにすればよい。
【図面の簡単な説明】
【００２０】
【図１】本発明の一実施形態の空気調和機の系統構成図である。
【図２】本発明の一実施形態の空気調和機の真空引きの作業手順を示すフローチャートである。
【符号の説明】
【００２１】
１  空気調和機
３  室外機
４  液冷媒配管
５  室内機
６  ガス冷媒配管
９  圧縮機
１１  四方弁
１３  室外熱交換器
１５  膨張弁
１７  レシーバ
１９、２１、３１，３３  阻止弁
２５  アキュムレータ
３５  圧力センサ
【図１】
2008170024.tif 000003
【図２】
2008170024.tif 000004